(57)【要約】【課題】液晶表示装置の重量を減らしつつ、光を均一に出射できるバックライトアセンブリ及びそれを含む表示装置を提供する。【解決手段】バックライトアセンブリは、収納容器及び光源部を含む。収納容器は、光を出射する光出射面を有する。光源部は、光出射面の下部に配置されて光を発生する第１光源、及び、第１光源から光出射面と平行な第１方向に第１距離で離隔して、光出射面から光出射面と直交する第２方向に第１深さで離隔した第２光源を含む。収納容器は、第１及び第２光源を支持する第１光源支持部、及び第１光源支持部から延伸して第１光源及び第２光源から発生した光を反射させ光出射面に光をガイドする反射部を含む。【選択図】図１
2013201121.tif 000002
【特許請求の範囲】
【請求項１】
光を出射する光出射面を有する収納容器と、
前記光出射面の下部に配置されて光を発生する第１光源、及び、前記第１光源から前記光出射面と平行な第１方向に第１距離で離隔して、前記光出射面から前記光出射面と直交する第２方向に第１深さで離隔した第２光源を含む光源部と、
を含み、
前記収納容器は、前記第１及び第２光源を支持する第１光源支持部、及び、前記第１光源支持部から延伸し、前記第１光源及び第２光源から発生した光を反射させ前記光出射面に前記光をガイドする反射部を含むことを特徴とするバックライトアセンブリ。
【請求項２】
前記光出射面と前記第１光源支持部の前記第１光源を支持する部分との隔離距離は、前記第１深さより小さいことを特徴とする請求項１に記載のバックライトアセンブリ。
【請求項３】
前記第１深さは、１０ｍｍ〜１５ｍｍの間であることを特徴とする請求項２に記載のバックライトアセンブリ。
【請求項４】
前記反射部と前記光出射面との間には空の空間が占めることを特徴とする請求項２に記載のバックライトアセンブリ。
【請求項５】
前記第２光源から前記１方向に第２距離で離隔して、前記光出射面から前記第２方向に第２深さで離隔した第３光源をさらに含み、
前記第２距離は前記第１距離より大きいか、または、同じであり、
前記第１距離、前記第２距離、前記第１深さ、及び前記第２深さの比率は、４．５：４．５：１：２であることを特徴とする請求項４に記載のバックライトアセンブリ。
【請求項６】
前記光源部は前記第１光源から発生した前記光を前記第１方向にガイドする前記第１光源周辺に配置される第１反射カップ、及び、前記第２光源から発生した前記光を前記第１方向にガイドする前記第２光源周辺に配置される第２反射カップをさらに含み、
前記第１光源及び前記第２光源は、それぞれ前記光出射面に直交する第１面及び第２面上に配置されることを特徴とする請求項１に記載のバックライトアセンブリ。
【請求項７】
前記第１光源は、前記第１面と、前記第１方向に第１傾斜角度ほど傾いた第１斜面に配置されて、
前記第２光源は、前記第２面から、前記第１方向に第２傾斜角度ほど傾いた第２斜面に配置されることを特徴とする請求項６に記載のバックライトアセンブリ。
【請求項８】
前記第２光源から前記１方向に第２距離で離隔して、前記光出射面から前記第２方向に第２深さで離隔した第３光源を含み、
前記第３光源は、前記光出射面に直交する第３面から、前記第１方向に第３傾斜角度ほど傾いた第３斜面に配置され、
前記第１傾斜角度、前記第２傾斜角度、及び前記第３傾斜角度はそれぞれ異なることを特徴とする請求項７に記載のバックライトアセンブリ。
【請求項９】
前記第１傾斜角度は、前記第２傾斜角度より大きく、前記第２傾斜角度は前記第３傾斜角度より大きいことを特徴とする請求項８に記載のバックライトアセンブリ。
【請求項１０】
前記反射部に接続して、前記反射部を基準として前記第１光源支持部の反対側に配置された第２光源支持部をさらに含み、
前記第２光源支持部は、前記第１光源と対向する第４光源、前記第２光源と対向する第５光源を支持することを特徴とする請求項１に記載のバックライトアセンブリ。
【発明の詳細な説明】
【技術分野】
【０００１】
本発明は、バックライトアセンブリ及びそれを含む表示装置に関し、より詳細には液晶表示装置に用いるバックライトアセンブリ及びそれを含む表示装置に関する。
【背景技術】
【０００２】
最近、技術発展に伴って小型、軽量化されながら且つ更に性能の優れたディスプレイ製品が生産されている。従来、ディスプレイ装置には既存のブラウン管テレビ（ｃａｔｈｏｄｅ  ｒａｙ  ｔｕｂｅ：ＣＲＴ）が性能や価格面において多くの長所を有し広く使われてきたが、小型化或いは携帯性の面でＣＲＴの短所を克服し、小型化、軽量化及び低電力消費などの長所を有する液晶表示装置が注目を集めている。
【０００３】
一般的に、液晶表示装置は、液晶の特定の分子配列に電圧を印加し分子配列を変換させて、このような分子配列の変換によって発光する液晶セルの複屈折性、旋光性、２色性及び光散乱特性などの光学的性質の変化を視覚的変化に変換することによって画像を表示するディスプレイ装置である。
【０００４】
一般的な液晶表示装置は、収納容器、表示パネル及びバックライトアセンブリを含む。バックライトアセンブリは、光を発生させる光源及び光を表示パネルにガイドする導光板を含む。バックライトアセンブリは、光を発生し表示パネルに光を均一に供給する役割をする。しかし、導光板自体の重量によって液晶表示装置の重量が増加するという問題があった。
【０００５】
また、光源が導光板の一側にだけ配置された場合、導光板から出射される光が、光源から遠い方には少なく届く問題があった。
【先行技術文献】
【特許文献】
【０００６】
【特許文献１】特開２００６−２２９９７３号公開
【特許文献２】特開２００７−０４８４６５号公開
【特許文献３】韓国特許１０−０８４０７６９号明細書
【特許文献４】特開２００８−１７６９９６号公開
【発明の概要】
【発明が解決しようとする課題】
【０００７】
上記のような問題に鑑みてなされたものであって、本発明の目的は、液晶表示装置の重量を減らしつつ、光を均一に出射できるバックライトアセンブリを提供することにある。
【０００８】
また、本発明の他の目的は、バックライトアセンブリを含む液晶表示装置を提供することにある。
【課題を解決するための手段】
【０００９】
上述の本発明の目的を実現するための一実施形態に係るバックライトアセンブリは収納容器及び光源部を含む。前記収納容器は光を出射する光出射面を有する。前記光源部は、前記光出射面の下部に配置されて、光を発生する第１光源、及び、前記第１光源から前記光出射面と平行な第１方向に第１距離で離隔されて、前記光出射面から前記光出射面と直交する第２方向に第１深さで離隔された第２光源を含む。前記収納容器は、前記第１及び第２光源を支持する第１光源支持部、及び、前記第１光源支持部から延伸して、前記第１光源及び第２光源から発生した光を反射させ前記光出射面に前記光をガイドする反射部を含む。
【００１０】
本発明の一実施形態において、前記光出射面と前記第１光源支持部の前記第１光源を支持する部分までの隔離距離は前記第１深さより小さくてもよい。
【００１１】
本発明の一実施形態において、前記第１深さは、１０ｍｍ〜１５ｍｍの間であってもよい。
【００１２】
本発明の一実施形態において、前記第１距離は、４０ｍｍ〜５０ｍｍの間であってもよい。
【００１３】
本発明の一実施形態において、前記反射部と前記光出射面との間は、空の空間が占めてもよい。
【００１４】
本発明の一実施形態において、前記バックライトアセンブリは、前記第２光源から前記１方向に第２距離で離隔して、前記光出射面から前記第２方向に第２深さで離隔した第３光源をさらに含むことができる。前記第２距離は前記第１距離より大きいか、または、同じであってもよい。
【００１５】
本発明の一実施形態において、前記第２距離は、４０ｍｍ〜５０ｍｍの間であってもよい。
【００１６】
本発明の一実施形態において、前記第２深さは、１５ｍｍ〜３０ｍｍの間であってもよい。
【００１７】
本発明の一実施形態において、前記第１距離、前記第２距離、前記第１深さ、及び前記第２深さの比率は、４．５：４．５：１：２であってもよい。
【００１８】
本発明の一実施形態において、前記反射部は前記第１光源支持部から延伸する平坦部、及び、前記平坦部から延伸する第１傾斜部を含んでもよい。前記平坦部は前記光出射面と平行であり、前記第１傾斜部と前記平坦部は、第１傾斜角を成してもよい。
【００１９】
本発明の一実施形態において、前記傾斜部の長さは前記平坦部の長さより大きくてもよい。
【００２０】
本発明の一実施形態において、前記反射部は第２傾斜部をさらに含んでもよい。
【００２１】
本発明の一実施形態において、前記第２傾斜部は前記平坦部と前記第１光源支持部との間に配置され、前記第２傾斜部と前記平坦部は、第２傾斜角を成してもよい。
【００２２】
本発明の一実施形態において、前記第１傾斜部の長さは、前記第２傾斜部の長さと前記平坦部の長さとの合計より長くてもよい。
【００２３】
本発明の一実施形態において、前記光源部は、前記第１光源から発生した前記光を前記第１方向にガイドする前記第１光源周辺に配置される第１反射カップ、及び、前記第２光源から発生した前記光を前記第１方向にガイドする前記第２光源周辺に配置される第２反射カップをさらに含んでもよい。前記第１光源及び前記第２光源は、それぞれ前記光出射面に直交する第１面及び第２面上に配置されてもよい。
【００２４】
本発明の一実施形態において、前記反射カップは、前記光出射面に近い部分が前記光出射面に遠い部分より前記第１方向に長くてもよい。
【００２５】
本発明の一実施形態において、前記第１光源は、前記第１面と前記第１方向に第１角度ほど傾いて配置されてもよい。前記第２光源は前記第２面と前記第１方向に第２角度ほど傾いて配置されてもよい。
【００２６】
本発明の一実施形態において、前記第２光源から前記１方向に第２距離で離隔し、前記第２方向に第２深さで離隔した第３光源を含むことができる。前記第３光源は前記光出射面に直交する第３面と前記第１方向に第３角度ほど傾いて配置されてもよい。前記第１角度、前記第２角度、及び前記第３角度はそれぞれ異なってもよい。
【００２７】
本発明の一実施形態において、前記第１角度は前記第２角度より大きくて、前記第２角度は前記第３角度より大きくてもよい。
【００２８】
本発明の一実施形態において、前記バックライトアセンブリは、前記反射部に接続されて、前記反射部を基準として前記第１光源支持部の反対側に配置された第２光源支持部をさらに含んでもよい。前記第２光源支持部は前記第１光源と対向する第４光源、前記第２光源と対向する第５光源を支持してもよい。
【００２９】
本発明の一実施形態において、前記反射部は前記第１光源支持部から延伸する第２傾斜部、前記第２傾斜部から延伸する第３傾斜部、及び、前記第３傾斜部から延伸する第４傾斜部を含んでもよい。前記第２傾斜部及び前記第４傾斜部は前記第１方向と第２傾斜角を成して、前記第１傾斜部及び前記第３傾斜部は前記第１方向と第１傾斜角を成してもよい。
【００３０】
本発明の一実施形態において、前記反射部は前記光出射面を基準として所定の角度傾いて、前記傾斜は前記第１方向に進むにつれ、次第に大きくなってもよい。
【００３１】
本発明の一実施形態において、前記収納容器は前記反射部上に配置された前記光を反射させる反射層をさらに含んでもよい。
【００３２】
上述の本発明の目的を実現するための他の実施形態に係る表示装置は、表示パネル、バックライトアセンブリ、及び収納ケースを含む。前記バックライトアセンブリは、収納容器及び光源部を含む。前記収納容器は、光を出射する光出射面を有する。前記光源部は、前記光出射面の下部に配置されて、光を発生する第１光源、及び、前記第１光源から前記光出射面と平行な第１方向に第１距離で離隔されて、前記光出射面から前記光出射面と直交する第２方向に第１深さで離隔された第２光源を含む。前記収納容器は、前記第１及び第２光源を支持する第１光源支持部、及び前記第１光源支持部から延伸して、前記第１光源及び第２光源から発生した光を反射させ前記光出射面に前記光をガイドする反射部を含む。前記収納ケースは前記パネル及び前記バックライトアセンブリを収納する。
【００３３】
本発明の一実施形態において、前記表示パネルは前記表示パネルを駆動するための駆動部を含んでもよい。前記バックライトアセンブリと前記収納ケースの底面との間に空間が形成されて、前記空間上に前記駆動部が配置されてもよい。
【００３４】
本発明の一実施形態において、前記表示パネルは前記バックライトアセンブリと前記表示パネルとの間に配置される光学シートをさらに含むことができる。前記光学シートは、前記バックライトアセンブリ上部に配置される拡散シート、前記拡散シートの上部に配置される下部プリズムシート、前記下部プリズムシートの上部に配置される保護シートを含んでもよい。
【発明の効果】
【００３５】
本発明の実施形態に係る表示装置によると、光源部は第１光源部、第２光源部及び第３光源部を含む。第１〜第３光源部は、階段状に配置するので、光出射面を通過する光の輝度を均一にすることができる。
【００３６】
また、バックライトアセンブリの反射部と光出射面との間は、空の空間であるので表示装置の重量を減らすことができる。
【００３７】
また、第１〜第３光源は、それぞれ異なる角度を有して配置されるので、光出射面を通過する光の輝度を均一にすることができる。
【図面の簡単な説明】
【００３８】
【図１】本発明の一実施形態に係るバックライトアセンブリの断面図である。
【図２】本発明の他の実施形態に係るバックライトアセンブリの断面図である。
【図３】本発明のさらに他の実施形態に係るバックライトアセンブリの断面図である。
【図４】本発明のさらに他の実施形態に係るバックライトアセンブリの断面図である。
【図５】本発明のさらに他の実施形態に係るバックライトアセンブリの光源部の拡大断面図である。
【図６】本発明の一実施形態に係る表示装置の分解斜視図である。
【図７】図６の表示装置の断面図である。
【図８】本発明の他の実施形態に係る表示装置の断面図である。
【発明を実施するための形態】
【００３９】
図１は本発明の一実施形態に係るバックライトアセンブリの断面図である。図１を参照すると、バックライトアセンブリ１００は光源部１０３及び収納容器１０４を含む。
【００４０】
収納容器１０４は、光出射面１０２、光源支持部１２０、及び反射部１１０を含む。
【００４１】
光出射面１０２は、収納容器１０４の上面である。光出射面１０２を介して光が出射される。光源支持部１２０は、光源部を支持する。反射部１１０は、光源支持部１２０からｘ方向に延伸する。反射部１１０は、光源部から発生した光を反射させ光出射面１０２を通過して出射させる。ｘ方向は、光出射面１０２と平行な方向である。収納容器１０４の詳しい形状に対しては後述する。
【００４２】
光源部は第１光源部１３０、第２光源部１４０及び第３光源部１５０を含む。光源部は表示パネルに供給するための光を発生させる。
【００４３】
第１光源部１３０は第１光源１３１及び第１反射カップ１３２を含む。
第１光源部１３０は、光出射面１０２の下部に配置されて、光源支持部１２０上に配置される。ｘ方向に光がガイドできるように、第１反射カップ１３２が第１光源部１３０の第１光源１３１を包むように配置される。第１反射カップ１３２は、ｘ方向に進むにつれ、内径が少しずつ大きくなる。従って、第１光源部１３０から発生した光がｘ方向に進み、光源部から遠い方にも光が均一に到達できる。
【００４４】
第２光源部１４０は第２光源１４１及び第２反射カップ１４２を含む。
第２光源部１４０は、第１光源１３１からｘ方向に第１距離Ｗ１で離隔されて、光出射面１０２からｙ方向に第１深さｄ１で離隔される。ｙ方向は、ｘ方向と直交する方向であって、且つ、光出射面１０２の下へ向かう方向である。第２光源部１４０は光源支持部１２０上に配置される。従って、第１光源部１３０及び第２光源部１４０は、光源支持部１２０上に階段状に配置される。ｘ方向に光がガイドできるように、第２反射カップ１４２が第２光源部１４０の第２光源１４１を包むように配置される。第２反射カップ１４２は、ｘ方向に進むにつれ、内径が少しずつ大きくなる。従って、第２光源部１４０から発生した光がｘ方向に進み、光源部から遠い方にも光が均一に到達できる。
【００４５】
第３光源部１５０は、第３光源１５１及び第３反射カップ１５２を含む。
第３光源部１５０は、第２光源１４１からｘ方向に第２距離Ｗ２で離隔されて、光出射面１０２からｙ方向に第２深さｄ２で離隔される。第３光源部１５０は光源支持部１２０上に配置される。従って、第１光源部１３０、第２光源部１４０、及び第３光源部１５０は、光源支持部１２０上に階段状に配置される。ｘ方向に光がガイドできるように、第３反射カップ１５２が第３光源部１５０の第３光源１５１を包むように配置される。第３反射カップ１５２は、ｘ方向に進むにつれ、内径が少しずつ大きくなる。従って、第３光源部１５０から発生した光がｘ方向に進み、光源部から遠い方にも光が均一に到達できる。
【００４６】
第１光源１３１、第２光源１４１、及び第３光源１５１は、表示パネルに供給する光を発生する。第１光源１３１、第２光源１４１、及び第３光源１５１は、ＬＥＤ光源であってもよい。
【００４７】
第１光源１３１、第２光源１４１、及び第３光源１５１のそれぞれは、光出射面１０２と直交する平面上に配置される。従って、第１光源１３１、第２光源１４１、及び第３光源１５１は、光をｘ方向に放出することができる。
【００４８】
第１反射カップ１３２、第２反射カップ１４２、及び第３反射カップ１５２はそれぞれ上部が下部よりｘ方向への長さが更に長いこともある。従って、第１光源１３１、第２光源１４１、及び第３光源１５１から発生した光が光出射面１０２に直接到達する量を減らすことができる。これによって、光源部から遠い方にも光が均一に到達できる。
【００４９】
反射部１１０は、平坦部１１２及び傾斜部１１４を有する。
平坦部１１２は、光源支持部１２０からｘ方向に第１長さＬ１ほど延伸する。例えば、第３反射カップ１５２の下部部分からｘ方向に延伸する。傾斜部１１４は、平坦部１１２からｘ方向に第１傾斜角α１を有しつつ延伸する。即ち、傾斜部１１４は、平坦部１１２と第１傾斜角α１を成す。傾斜部１１４は、ｘ方向に第２長さＬ２ほど延伸する。
【００５０】
反射部１１０は、第１光源１３１、第２光源１４１、及び第３光源１５１から発光した光を反射させ光出射面１０２に向かうようにガイドする。平坦部１１２と傾斜部１１４は、第１光源１３１、第２光源１４１、及び第３光源１５１の配置に応じて、適切な長さと第１傾斜角α１を有するようにし、出射面１０２を出射する光が均一になるようにすることができる。特に、階段状に配置された光源を介して光源部から遠い方の出射面１０２部分にも十分な光が到達できるようにすることができる。
【００５１】
光出射面１０２と対向する収納容器１０４の内部面上には、光源部から発生した光を反射させ、光出射面１０２に向かうようにするための構成が配置されるとよい。例えば、内部面上には反射層が配置されるとよい。または、内部面上には反射フィルムがコーティングし形成されてもよい。
【００５２】
バックライトアセンブリ１００は、階段型に配置された複数の光源と傾斜角を有する曲がった反射部１１０を有するので、出射面１０２を介して出射される光を均一にすることができる。また、従来のバックライトアセンブリが有する導光板を使用することなく、反射部の形状を利用して光をガイドするので、バックライトアセンブリの全体的な重量を軽量化することができる。
【００５３】
本実施形態に係るバックライトアセンブリの各部分のサイズは、例えば、下記〔表１〕のようであってもよい。
【００５４】
【表１】
2013201121.tif 000003
【００５５】
〔表１〕に係るバックライトアセンブリ１００は、横７００ｍｍ、縦４００ｍｍの光出
射面１０２の大きさを有する。従って、階段状に配列された複数の光源は、光出射面１０２の横に沿って配置される。
【００５６】
バックライトアセンブリ１００は、出射面１０２上部に配置される光学シート（図７の６４０参照）をさらに含んでもよい。
【００５７】
光学シートは、複数のシートを含んでもよい。例えば、光学シートは、保護シート、プリズムシート及び拡散シートを含んでもよい。拡散シートは、光出射面１０２上に配置される。プリズムシートは、拡散シート上に配置される。保護シートは、プリズムシート上に配置される。プリズムシートは、上部プリズムシート及び下部プリズムシートを含んでもよい。上部プリズムシートのプリズム方向は、下部プリズムシートのプリズム方向と直交してもよい。光学シート６４０の構成はこれに限定されずに多様に構成されてもよい。
【００５８】
図２は、本発明の他の実施形態に係るバックライトアセンブリの断面図である。
図２を参照すれば、バックライトアセンブリ２００は収納容器２０４の光源支持部２２０及び反射部２１０を除いて、図１のバックライトアセンブリ１００と実質的に同一である。従って、重複する説明を省略する。
【００５９】
収納容器２０４は、光出射面２０２、光源支持部２２０、及び反射部２１０を含む。光源支持部２２０は、第１光源部２３０、第２光源部２４０及び第３光源部２５０を階段状に配置できるように、階段状の形状を有する。
【００６０】
第１光源部２３０は、第１光源２３１及び第１反射カップ２３２を含む。
第１光源部２３０は、光出射面２０２下部に配置され、光源支持部２２０上に配置される。
【００６１】
第２光源部２４０は、第２光源２４１及び第２反射カップ２４２を含む。
第２光源部２４０は、第１光源２３１からｘ方向に第１距離Ｗ２１で離隔されて、光出射面１０２からｙ方向に第１深さｄ２２で離隔される。第１深さｄ２２は、深さｄ２１より大きい。深さｄ２１は、第１光源２３１が配置される場所の光源支持部２２０と光出射面２０２との隔離距離である。
【００６２】
第２光源部２４０は、光源支持部２２０上に配置される。従って、第１光源部２３０及び第２光源部２４０は、光源支持部２２０上に階段状に配置される。第１深さｄ２２が深さｄ２１より大きいので、第１光源部２３０と第２光源部２４０との間の光源支持部２２０は、光出射面２０２を基準としてｙ方向に傾斜している。
【００６３】
第３光源部２５０は、第３光源２５１及び第３反射カップ２５２を含む。
第３光源部２５０は、第２光源２４１からｘ方向に第２距離Ｗ２２で離隔されて、光出射面２０２からｙ方向ｙに第２深さｄ２４で離隔される。第２深さｄ２４は、深さｄ２３より大きい。深さｄ２３は、第３光源２４１が配置される場所の光源支持部２２０と光出射面２０２との隔離距離である。
【００６４】
第３光源部２５０は、光源支持部２２０上に配置される。従って、第１光源部２３０、第２光源部２４０、及び第３光源部２５０は、光源支持部２２０上に階段状に配置される。ｘ方向に光をガイドできるように、第３反射カップ２５２が第３光源部１５０の第３光源１５１を包むように配置される。第２深さｄ２４が深さｄ２３より大きいので、第３光源部２４０と第３光源部２５０との間の光源支持部２２０は、光出射面２０２を基準としてｙ方向に傾斜している。
【００６５】
反射部２１０は第１傾斜部２１２、平坦部２１４、及び第２傾斜部２１６を有する。
【００６６】
第１傾斜部２１２は光源支持部１２０からｘ方向に第１長さＬ２１ほど延伸する。例えば、第３反射カップ１５２の下部の部分からｘ方向に延伸する。第１傾斜部２１２は、ｙ方向に第１傾斜角β１ほど傾いてもよい。従って、第１傾斜部２１２が光出射面２０２と平行な平面である場合より、第１傾斜部２１２は、第１傾斜部２１２に届く光をｘ方向により遠くに反射させることができる。
【００６７】
平坦部２１４は、第１傾斜部２１２からｘ方向に第２長さＬ２２ほど延伸する。
【００６８】
第２傾斜部２１６は、平坦部２１６からｘ方向に第３長さＬ２３ほど延伸する。第２傾斜部２１６は、光出射面２０２に対して第２傾斜角β２ほど傾いてもよい。従って、第２傾斜部２１２に向かった光は光出射面２０２のある方向に反射する。
【００６９】
反射部２１０は、第１光源２３１、第２光源２４１及び第３光源２５１から発光した光を反射させて光出射面２０２に向かうようにガイドする。第１傾斜部２１２、平坦部２１４、及び第２傾斜部２１６は、第１光源２３１、第２光源２４１、及び第３光源２５１の配置に応じて、適切な長さを有するとよい。また、好適な第１傾斜角β１及び第２傾斜角β２を有するようにし、出射面１０２を出射する光が均一になるようにするとよい。特に、階段状に配置された光源を通じて光源部から遠い側の出射面２０２の部分にも十分な光が到達できるようにするとよい。また、それぞれの光源２３１、２４１、２５１間の光源支持部２２０の部分は、ｙ方向に傾斜をなす。したがって、反射部２１０は、光源２３１、２４１、２５１からの光をｘ軸方向に、当該部分がｘ方向に平行な場合よりも、さらに遠くに反射させることができる。
【００７０】
図３は、本発明のさらに他の実施形態に係るバックライトアセンブリの断面図である。
図３を参照すれば、バックライトアセンブリ３００は、第４光源部３７０、第５光源部３８０及び第６光源部３９０をさらに含むこと、Ｃ−Ｃ’線により表示された光出射面３０２と直交する平面を中心に対称であること、及び、反射部３１０、第１光源支持部３２０及び第２光源支持部３６０を含むことを除けば、図２のバックライトアセンブリ２００と実質的に同一である。従って、重複する説明を省略する。
【００７１】
第１光源支持部３２０は、第１光源部３３０、第２光源部３４０及び第３光源部３５０を階段状に配置できるように階段状の形状を有する。
【００７２】
反射部３１０は、第１傾斜部３１２、第２傾斜部３１４、第３傾斜部３１６及び第４傾斜部３１８を有する。
【００７３】
第１傾斜部３１２は第１光源支持部３２０からｘ方向に第１長さＬ３１ほど延伸する。第１傾斜部２１２はｙ方向に第１傾斜角γ１ほど傾いてもよい。従って、第１傾斜部３１２が光出射面３０２と平行な平面である場合より、第１傾斜部３１２は、第１傾斜部３１２に届く光をｘ方向により遠くに反射させることができる。
【００７４】
第２傾斜部３１４は、第１傾斜部３１４からｘ方向に第２長さＬ３２ほど延伸する。即ち、第２傾斜部３１４は、Ｃ−Ｃ’線により表示された平面まで延伸する。第２傾斜部３１４は、光出射面３０２に向かう方向に第２傾斜角γ２ほど傾いてもよい。従って、第２傾斜部３１４に向かった光は光出射面３０２のある方向に反射する。
【００７５】
第３傾斜部３１６は、第２傾斜部３１４からｘ方向に延伸する。ｙ方向に第１傾斜角γ２ほど傾いてもよい。第４〜第６光源部３７０、３８０、３９０から放出された光は第３傾斜部３１６で反射し、光出射面３０２のある方向に進む。
【００７６】
第４傾斜部３１８は、第３傾斜部３１６からｘ方向に延伸する。第４傾斜部３１８は、光出射面３０２のある方向に第１傾斜角γ１ほど傾いてもよい。第４傾斜部３１８は第２光源支持部３６０と接続される。
【００７７】
第２光源支持部３６０は、第４光源部３７０、第５光源部３８０、及び第６光源部３９０を階段状に配置できるように階段状の形状を有する。
【００７８】
Ｃ−Ｃ’線により表示された平面を基準としてバックライトアセンブリ３００は対称を成す。即ち、Ｃ−Ｃ’線により表示された平面を基準として第１〜第３光源３３０、３４０、３５０と、第４〜第６光源３７０、３８０、３９０とは、対称を成す。また、反射部３１０は、Ｃ−Ｃ’線により表示された平面を基準として対称を成す。
【００７９】
本実施形態に係るバックライトアセンブリの各部分のサイズは、例えば、下記〔表２〕のようであってもよい。
【００８０】
【表２】
2013201121.tif 000004
【００８１】
図４は、本発明のさらに他の実施形態に係るバックライトアセンブリの断面図である。
図４を参照すれば、バックライトアセンブリ４００は、収納容器の反射部４１０の形状を除いては図１のバックライトアセンブリ１００と実質的に同一である。従って、重複する説明を省略する。
【００８２】
反射部４１０は、光源支持部４２０からｘ方向に進むにつれ、光出射面４０２に向かう曲線に沿って延伸する。即ち、反射部４１０は、ｙ方向と反対方向にある光出射面４０２に向かう方向に湾曲する曲面を形成する。従って、反射部４１０は、光源部で発生した光をｘ方向により遠くに反射させることができる。反射部４１０は、ｘ方向に進むにつれ、出射面４０２に対する傾きが次第に大きくなる。
【００８３】
図５は、本発明のさらに他の実施形態に係るバックライトアセンブリの光源部の拡大断面図である。
【００８４】
図５を参照すれば、バックライトアセンブリ５００は、第１光源５３１、第２光源５４１、及び第３光源５５１が配置される角度を除いては図１のバックライトアセンブリ１００と実質的に同一である。従って、重複する説明を省略する。
【００８５】
第１光源５３１、第２光源５４１、及び第３光源５５１は、光出射面に直交する面を基準としてｘ方向に傾いた平面上に配置される。例えば、第１光源５３１は、ｘ方向に第１角度δ１ほど傾く。第２光源５４１は、ｘ方向に第２角度δ２ほど傾く。第３光源５５１は、ｘ方向に第３角度δ３ほど傾く。第１〜第３角度δ１、δ２、δ３は、それぞれ異なってもよい。例えば、第２角度δ２は第３角度δ３より大きくてもよい。また、第１角度δ１は第２角度δ２より大きくてもよい。第１〜第３角度δ１、δ２、δ３は、光出射面を介して出射する光の輝度が均一になるように調節できる。第１〜第３光源５３１、５４１、５５１が同じ角度で配置された場合、または、光出射面を通過する光が均一ではない場合には、第１〜第３角度δ１、δ２、δ３をそれぞれ調節することによって、光出射面を通過する光が均一になるようにすることができる。第１〜第３角度δ１、δ２、δ３は、反射部の形状に応じて多様に変更できる。
【００８６】
図６は、本発明の一実施形態に係る表示装置の分解斜視図である。
図６を参照すれば、表示装置６００は、収納ケース６０５、表示パネル６２０、モールドフレーム６３０、光学シート６４０及びバックライトアセンブリ６５０を含む。収納ケース６０５は、トップシャーシ６１０及びボトムシャーシ６７０を含む。
【００８７】
トップシャーシ６１０は、表示パネル６２０の全部または一部を覆う。
【００８８】
表示パネル６２０は、外部から印加される駆動信号及びデータ信号に応じてバックライトアセンブリ６５０から発生した光で画像を表示部に表示する。表示パネル６２０は、アレイ基板６２２、アレイ基板と対向する対向基板６２４、及びこれらの間に介在した液晶層（図示せず）を含む。表示パネル６２０は表示パネル６２０を駆動するための駆動部６６０と電気的に接続される。例えば、アレイ基板６２２の一側には、駆動部６６０と電気的に接続されるフレキシブルプリント基板（ｆｌｅｘｉｂｌｅ  ｐｒｉｎｔｅｄ  ｃｉｒｃｕｉｔ  ｂｏａｒｄ）６２６が配置できる。駆動部６６０はバックライトアセンブリ６５０の下部に配置できる。
【００８９】
駆動部６６０は、表示パネル６２０を駆動するための駆動回路が形成されたプリント基板（ｐｒｉｎｔｅｄ  ｃｉｒｃｕｉｔ  ｂｏａｒｄ）であってもよい。駆動部６６０の詳しい説明は、図７にて説明する。
【００９０】
モールドフレーム６３０は、トップシャーシ６１０及びボトムシャーシ６７０の中に収納されて、表示パネル６２０、光学シート６４０、及びバックライトアセンブリ６５０を収納し固定する。モールドフレーム６３０の一側とボトムシャーシ６７０との間には、フレキシブルプリント配線板６２６が配置できる空間を形成してもよい。
【００９１】
光学シート６４０は、バックライトアセンブリ６５０上に配置される。光学シート６４０は、バックライトアセンブリ６５０から出射される光の特性を向上させる。即ち、光学シート６４０は、出射面１０２から出射される光の輝度を均一にする。光学シート６４０は複数のシートを含むとよい。例えば、光学シート６４０は、保護シート６４６、プリズムシート６４４、及び拡散シート６４２を含むとよい。拡散シート６４２は、バックライトアセンブリ６５０の光出射面上に配置される。プリズムシート６４４は、拡散シート６４２上に配置される。保護シート６４６は、プリズムシート６４４上に配置される。プリズムシート６４４は、上部プリズムシート及び下部プリズムシートを含むことができる。上部プリズムシートのプリズム方向は、下部プリズムシートのプリズム方向と直交してもよい。本実施形態では、光学シート６４０が保護シート６４６、プリズムシート６４４、及び拡散シート６４２を含むことを説明したが、光学シート６４０の構成は、これに限定されないので、多様に構成されてもよい。
【００９２】
バックライトアセンブリ６５０は、図１で説明したバックライトアセンブリ１００と実質的に同一である。従って、重複する説明を省略する。
【００９３】
バックライトアセンブリ６５０は、光学シート６４０の下部に配置されてボトムシャーシ６７０に収納される。バックライトアセンブリ６５０は、光源部から発生した光を表示パネル６２０に供給する。
【００９４】
ボトムシャーシ６７０は、トップシャーシ６１０と結合し、表示パネル６２０、モールドフレーム６３０、光学シート６４０、及びバックライトアセンブリ６５０を収納する。
【００９５】
図７は、図６の表示装置の断面図である。
図７を参照すれば、バックライトアセンブリ６５０の一部は、ボトムシャーシ６７０から離隔して配置されるので、第１空間６５２及び第２空間６５４を形成する。
【００９６】
第１空間６５２及び第２空間６５４の少なくとも一方には、表示装置を駆動するための駆動部が配置されてもよい。第１空間６５２及び第２空間６５４の少なくとも一方に駆動部を配置することによって、表示装置全体の厚さを減らすことができる。例えば、駆動部６６０は第１空間６５２に配置されてもよい。即ち、駆動部６６０はボトムシャーシ６７０の底部上に配置されるので、駆動部６６０の厚さにともなう表示装置全体厚さの増加を防止することができる。本実施形態においては、表示パネル６２０を駆動するための駆動部６６０の配置についてのみ説明したが、第２空間６５４に光源部を駆動するための駆動部（図示せず）が配置されてもよい。
【００９７】
図８は、本発明の他の実施形態に係る表示装置の断面図である。
図８を参照すれば、表示装置７００は、駆動部７６０がバックライトアセンブリ７５０の下部に配置されるということを除けば、図６の表示装置６００と実質的に同一である。従って、重複する説明を省略する。
【００９８】
バックライトアセンブリ７５０の一部は、ボトムシャーシ７７０から離隔して配置されるので、第１空間７５２及び第２空間７５４を形成する。
【００９９】
第１空間６５２及び第２空間６５４の少なくとも一方には、表示装置を駆動するための駆動部が配置されてもよい。第１空間６５２及び第２空間６５４の少なくとも一方に駆動部が配置されるので、表示装置全体の厚さを減らすことができる。例えば、駆動部７６０は、第１空間７５２に配置できる。即ち、駆動部７６０はバックライトアセンブリ７５０の下部に配置されるので、駆動部７６０の厚さにともなう表示装置全体厚さの増加を防止することができる。駆動部７６０は、バックライトアセンブリ７５０の下部に取り付けられてもよい。本実施形態においては、表示パネル７２０を駆動するための駆動部７６０の配置についてのみを説明したが、第２空間７５４には光源部を駆動するための駆動部（図示せず）が配置されてもよい。
【０１００】
以上、添付図面を参照しながら、本発明の好適な実施形態について詳細に説明したが、本発明はこのような例に限定されない。本発明の属する技術の分野における通常の知識を有する者であれば、特許請求の範囲に記載された技術的思想の範疇内において、各種の変更例または修正例を想到し得ることは明らかであり、これらについても、当然に本発明の技術的範囲に属するものと理解される。
【産業上の利用可能性】
【０１０１】
本発明の実施形態に係る表示装置によれば、光源部は第１光源部、第２光源部及び第３光源部を含む。第１〜第３光源部は階段状に配置されるので、光出射面を通過する光の輝度を均一にすることができる。
【０１０２】
また、バックライトアセンブリの反射部と光出射面との間は、空の空間が占めるので表示装置の重量を減らすことができる。
【０１０３】
また、第１〜第３光源は、それぞれ異なる角度を有して配置されるので、光出射面を通過する光の輝度を均一にすることができる。
【符号の説明】
【０１０４】
１００：バックライトアセンブリ
１０２：光出射面
１０４：収納容器
１１０：反射部
１１２：平坦部
１１４：傾斜部
１２０：光源支持部
１３０：第１光源部
１３１：第１光源
１３２：第１反射カップ
１４０：第２光源部
１４１：第２光源
１４２：第２反射カップ
１５０：第３光源部
１５１：第３光源
１５２：第３反射カップ
６００：表示装置
６１０：トップシャーシ
６２０：表示パネル
６３０：モールドフレーム
６４０：光学シート
６６０：駆動部
６７０：ボトムシャーシ
【図１】
2013201121.tif 000005
【図２】
2013201121.tif 000006
【図３】
2013201121.tif 000007
【図４】
2013201121.tif 000008
【図５】
2013201121.tif 000009
【図６】
2013201121.tif 000010
【図７】
2013201121.tif 000011
【図８】
2013201121.tif 000012